(57)【要約】【課題】前後の扉の走行を安定させるとともに、その取付け作業を容易とする他、前方の前扉を後方の後扉内に収納可能に構成した２重の引戸装置扉を提供すること。【解決手段】前方の前扉２ａを後方の後扉２ｂ内に収納可能に構成した２重の引戸装置扉１において、一方の扉は上面又は下面に受け入れ用切り欠き部ｍを、他方の扉には両側面上部又は両側面下部に進入用切り欠き部ｎを設ける。【選択図】  図１
2004270370.tif 000002
【特許請求の範囲】
【請求項１】
前方の前扉を後方の後扉内に収納可能に構成した２重の引戸装置扉において、一方の扉は上面又は下面に受け入れ用切り欠き部を、他方の扉には両側面上部又は両側面下部に進入用切り欠き部を設けたことを特徴とする引戸装置。
【請求項２】
両扉上部又は下部には、嵌合後において相互に干渉しない位置に戸車を備えたことを特徴とする請求項１記載の引戸装置。
【請求項３】
前方の前扉を内に収納可能に構成した２重の引戸装置扉において、一方の扉の上面又は下面には他方の扉の戸車取付板の進入を許容するスリット部を設けたことを特徴とする引戸装置。
【請求項４】
前方の前扉を後方の後扉内に収納可能に構成した２重の引戸装置扉において、後方の後扉に形成したスリットに前方の前扉の戸車取付板を嵌入させるとともに、スリット部開放端下面と前扉上面間に滑走部材を設け、後扉の前部を前扉に摺動可能に支持することを特徴とする引戸装置。
【請求項５】
前方の前扉を後方の後扉内に収納可能に構成した２重の引戸装置扉の組立方法において、前扉を後扉に嵌入した後、前扉の前後戸車の間に後扉の前戸車取付板を位置させて後扉に固定することを特徴とする引戸装置扉の組立方法。
【請求項６】
前方の前扉を後方の後扉内に収納可能に構成した２重の引戸装置扉の組立方法において、後扉に形成したスリット部の開放端から前扉の戸車取付板を嵌入させた後、前記スリット部の開放端を後扉の戸車取付板で遮蔽することを特徴とする引戸装置扉の組立方法。
【請求項７】
前方の前扉を後方の後扉内に収納可能に構成した２重の引戸装置扉の組立方法において、前扉の後部戸車を後扉の前後戸車の間に位置せしめ、後部扉の側面に設けた切欠部を介して前扉を後扉の側方より嵌合し、１本のレール上に全ての戸車を載置するようにしたことを特徴とする引戸装置扉の組立方法。
【発明の詳細な説明】
【０００１】
【発明の属する技術分野】
本発明は、引戸装置に関し、詳しくは一方の扉を他方の扉に収納可能に構成した２重の引戸装置の改良に関するものである。
【０００２】
【従来の技術】
従来の前方の前扉を後方の後扉内に収納可能に構成した２重の引戸装置は、戸袋の幅を縮小し、引戸装置全体の小型化を計ることを目的として、図１６に示すような、引戸を前後に区分し、前扉は後方の扉内に収納可能とした壁収納型引戸装置を挙げることができる（特許文献１参照）。
【０００３】
図において壁収納型引戸装置５０は、引戸枠部材５１と、該枠部材５１の一側に形成された戸袋５２内に収納される引戸５３とより構成される。引戸５３は、閉じ側の前扉５３ａと、収納側の後扉５３ｂとより構成される。また引戸枠部材５１の上枠５１ａ内には引戸走行用レール５４を収納する。このレール５４は周知の如く、引戸５３が自重により閉塞位置に移行する如く、若干傾斜して取り付けられる。
【０００４】
なお、後扉５３ｂは、前扉５３ａを収納すべく前側を開口した構造とし、かつ上方内部には前扉支持用レール５５を取り付ける。前扉５３ａは対をなす前後の吊り車５６ａ、５６ｂの内、前部吊り車５６ａは引戸走行用レール５４に、また後部吊り車５６ｂは上記前扉支持用レール５５に支持せしめる。ただし後扉５３ｂの吊り車５７は、前後共、引戸走行用レール５４に支持せしめる。
【０００５】
また前後の両扉５３ａ、５３ｂには共通の連動扞６０を備える。この連動扞６０は、その基端６１ａを戸袋５２の後部下方に回動可能に取り付け、前扉５３ａの後部に形成された縦溝６２ａに挿入される摺動駒６３ａに連動扞６０の先端を取り付け、後扉５３ｂの後部に形成された縦溝６２ｂに挿入される摺動駒６３ｂを貫挿する。
【０００６】
これにより閉塞位置にある前扉５３ａを手動により開放位置に移行するときは、連動扞６０を介して後扉５３ｂを追随して移行させる。
【０００７】
ついで引戸を引き出すときは、前扉を引き出すことにより、前扉５３ａの前進に伴い、連動扞６０は基端６１ａを基準として回動し摺動駒６３ｂを介して後扉５３ｂを追随して引き出す。
【０００８】
この場合、引戸収納用戸袋は、従来構造と比べて小型とすることができる効果がある。しかし、該引戸装置においては、前扉の後部吊り車は、後扉の吊り車との干渉を避けるため、引戸走行用レールとは別に設けた前扉の後部吊り車支持用レールとする必要があり、後扉の走行には問題は生じないものの、前扉の走行に関しては、２本のレールの平行度、前後の吊り車の高低差等の狂いによって引戸の開閉がスムーズに行われない場合があるとともに、２本のレールに前後の引き戸を載置する必要からその取付作業に手数を要するもので、かかる問題点を解消した伸縮引戸として、図１７に示す引戸装置７０がある（特許文献２参照）。
【０００９】
この引戸装置７０は、間隔をあけて平行に配置された板材７４、７４の上端及び下端のコーナー部分で連結板７５、７５により連結され第１扉７１を構成し、各板材７４、７４の間に、第１扉７１と同様に平行に配置された板材７６、７６又は一枚物の板材を配設し、図示の如く連結板７７、７７を取り付ける。
７３は、連結板７５、７５、７７、７７に取り付けられたローラ等の走行体を示し、レール７８内を走行するように構成する。
【００１０】
【特許文献１】
特開２０００−１９２７４０号公報
【特許文献２】
特開２００２−１９４９５６号公報
【００１１】
【発明が解決しようとする課題】
しかし、上記構成によるときは、連結板のみによる板材の連結は板面に対する垂直荷重に対し非常に弱く、外力により容易に変形し、引戸のスムーズな開閉に支障をきたす等の問題がある。
【００１２】
本発明はかかる点に鑑み、前後の扉の走行を安定させるとともに、その取付作業を容易とする他、前方の前扉を後方の後扉内に収納可能に構成した２重の引戸装置扉を提供することを目的とする。
【００１３】
【課題を解決するための手段】
上記目的を達成するため、本発明の引戸装置は、前方の前扉を後方の後扉内に収納可能に構成した２重の引戸装置扉において、一方の扉は上面又は下面に受け入れ用切り欠き部を、他方の扉には両側面上部又は両側面下部に進入用切り欠き部を設けたことを特徴とする。
【００１４】
上記の構成からなる本発明は、両扉はその上部又は下部に切り欠き部分を備えるから両扉ともその上面部分又は下面部分を露出することができる。
【００１５】
この場合において、両扉上部又は下部には、嵌合において相互に干渉しない位置に戸車を備えることができる。
【００１６】
これにより、上部に戸車を備えるときは戸袋内に取り付ける上吊りレールを１本とすることができ、引戸の開閉がスムーズに行うことができる。
【００１７】
また、第２の発明は、前方の前扉を後方の後扉内に収納可能に構成した２重の引戸装置扉において、一方の扉の上面又は下面には他方の扉の戸車取付板の進入を許容するスリット部を設けたことを特徴とする。
【００１８】
上記の構成からなる第２の発明は、一方の扉の上面には他方の扉の戸車取付板の進入を許容するスリット部を設けるから他方の扉にはスリット等の切り欠き部分の加工の必要がない。
【００１９】
また、第３の発明は、前方の前扉を後方の後扉内に収納可能に構成した２重の引戸装置扉において、後方の後扉に形成したスリットに前方の前扉の戸車取付板を嵌入させるとともに、スリット部開放端下面と前扉上面間に滑走部材を設け、後扉の前部を前扉に摺動可能に支持することを特徴とする。
【００２０】
上記の構成からなる第３の発明は、前後の戸車によって支持される前扉の上面と後扉前方の間を滑走部材を介して摺動可能に後扉を取り付けるから両扉の組立が簡便に行うことができる。
【００２１】
また、第４の発明は、前方の前扉を後方の後扉内に収納可能に構成した２重の引戸装置扉の組立方法において、前扉を後扉に嵌入した後、前扉の前後戸車の間に後扉の前戸車取付板を位置させて後扉に固定することを特徴とする。
【００２２】
上記の構成からなる第４の発明は、第１の発明の組立方法に関し、後扉の前戸車取付板によって後扉を固定するとともに、前扉の脱落を防止する。
【００２３】
また、第５の発明は、前方の前扉を後方の後扉内に収納可能に構成した２重の引戸装置扉の組立方法において、後扉に形成したスリット部の開放端から前扉の戸車取付板を嵌入させた後、前記スリット部の開放端を後扉の戸車取付板で遮蔽することを特徴とする。
【００２４】
上記の構成からなる第５の発明は、第２の発明の組立方法に関し、スリット部の開放端を後扉の戸車取付板で遮蔽し、前扉の脱落を防止する。
【００２５】
また、第６の発明は、前方の前扉を後方の後扉内に収納可能に構成した２重の引戸装置扉の組立方法において、前扉の後部戸車を後扉の前後戸車の間に位置せしめ、後部扉の側面に設けた切欠部を介して前扉を後扉の側方より嵌合し、１本のレール上に全ての戸車を載置するようにしたことを特徴とする。
【００２６】
上記の構成からなる第６の発明は、前扉の後部戸車を後部扉の側面に設けた切欠部を介して嵌合しするから後扉の戸車も組立前から取り付けた状態で組み込むことが可能となる。
【００２７】
【発明の実施の形態】
以下、本発明の実施の形態を図に示す実施例に基づいて説明する。図１乃至図３は第１実施例を示すもので、引戸装置１は出入口に配置された引戸２と、該引戸取付枠３とを備える。引戸収納枠３は一側の戸袋４を形成し、該戸袋４は周知の引戸収納壁内に挿入される。
５は点検用蓋を示し、レールの交換やメンテナンス時、に開放し作業を行うもので、図１、２においては戸袋４とともに一点波線を以て示す。
【００２８】
引戸２は従来例（図１６）と同様に前扉２ａと後扉２ｂとより構成される。また枠部材３の上枠３ａには引戸走行用レール６を備え、前扉２ａの戸車７、７と後扉２ｂの戸車８ａ、８ｂを載置し常時図１に示す閉鎖状態に保持する場合には引戸走行用レール６を図例において若干左下がりに構成する。
この際、扉２を開放する際に任意の位置で停止させたい場合には周知のストッパ機構を用いることが好ましい。
【００２９】
次に、引戸２の組立要領を図６乃至図９に基づき説明する。
後扉２ｂは一側面を開放するとともに、上面には受け入れ用切り欠き部ｍを、前扉２ａには両側面上部に進入用切り欠き部ｎを設け、図６に示すように前扉２ａには戸車７、７を後扉２ｂには後方の戸車８ｂを取り付けた状態で前扉２ａを後扉２ｂの開放された側面から進入せしめ、受け入れ用切り欠き部ｍを越え後扉２ｂの上面において前扉２ａに形成した進入用切り欠き部ｎが入り込む様、図７に示す形状に組み合わせる。
【００３０】
次いで、図８に示すように後扉２ｂ前方の戸車８ａを備えるコ字状のフランジｆを前扉２ａをまたぐようにして後扉２ｂ前方に取り付ける。
取付に際してはボルト締め等、強固に固着することのできる固着手段を採用することが好ましい。
【００３１】
この状態で、図９に示すように前扉２ａを移行せしめても前扉２ａの進行は後扉２ｂ前方の戸車８ａのフランジｆによって係止され、戸車８ａの取付によって引戸２の前扉２ａが後扉２ｂから外れることはない。
【００３２】
次に、第２の発明に係る引戸２の組立要領を図１０乃至図１３に基づいて説明する。
この引戸２は、第１の発明と同様、一側面を開放した後扉２ｂの上面に開放した側面側より反対の側面近傍に取り付けられた戸車８ｂまで前扉２ａに取り付けられた戸車８、８の戸車取付板ｔ、ｔの進入を許容するスリット部ｓを形成したもので、図１０に示すように前扉２ａには戸車７、７を後扉２ｂには後方の戸車８ｂを取り付けた状態で前扉２ａを後扉２ｂの開放された側面から進入せしめ、前扉２ａに取り付けられた戸車８、８の戸車取付板ｔ、ｔをスリットｓに進入せしめる（図例では前扉２ａの後扉２ｂ側の戸車８のみがスリットｓに進入している例を示すが戸車の位置を変更又は後扉２ｂの上面を突出せしめることにより前扉２ａの戸車８両方をスリットｓ内いに進入させるようにすることもできる）。
【００３３】
前扉２ａを後扉２ｂに進入させた状態で後扉２ｂの前方の戸車８ａを第１の発明と同様、適宜固着手段を用いて後扉２ｂに固着せしめる。
【００３４】
この状態で、第１の発明と同様、図１２に示すように前扉２ａを移行せしめても前扉２ａの進行は後扉２ｂ前方の戸車８ａのフランジｆ’によって係止され、戸車８ａの取付によって引戸２の前扉２ａが後扉２ｂから外れることはない。
【００３５】
次に図４、図５は、図２のＸ−Ｘにおける一部断面矢視図３に相当する別の実施例を示し、第１の発明における受け入れ用切り欠き部ｍと進入用切り欠き部ｎ、第２の発明におけるスリットｓ、更には戸車７、７、８ａ、８ｂをそれぞれの扉の下面に設けた例を示し、上枠３ｂにはガイドレール８を引戸枠３下方には戸車を載置するレール６’を備えてなる。
【００３６】
図４における戸車７’、７’、８ａ’、８ｂ’は中央を凹部とした形状で対応するレール６’は中央部に凸部を構成し、戸車７’、７’、８ａ’、８ｂ’の凹部をレール６’の凸部に載置して構成する。
【００３７】
また、図５に示す戸車７’’、７’’、８ａ’’、８ｂ’’は中央部が凸なる一般的な戸車でこれに対応するレール６’’は中央部に凹なる溝部を形成し、戸車７’’、７’’、８ａ’’、８ｂ’’を載置するように構成する。
なお、図５では戸車の保持を両側から支える構成を示したが、図４に示す片側からの支持でもよく、また図４に示す例において戸車を両側から支える様にしてもよいことはいうまでもない。
【００３８】
次に、図１５に示す第３の発明について説明する。
第３の発明の引戸装置１は、第２の発明と同様、前扉２ａに取り付けられた戸車７、７の戸車取付板ｔ、ｔをスリットｓに進入せしめる構造で、好ましくは前扉２ａを後扉２ｂに取り付けた後、前扉２ａが後扉２ｂから脱落することを防止するために後扉２ｂのスリット開放端にストッパ板ＳＴを取り付けるようにしてもよい。
【００３９】
この際、後扉２ｂの前方部分は、スリット部開放端下面と前扉上面間に滑走部材Ｋを設け、前扉２ａ上面を摺動可能に取り付けるようにする。
【００４０】
滑走部材Ｋは特に限定されるものではないが、同図（Ａ）に示す、摺動性の高い材質からなる滑走体Ｋ１や同図（Ｂ）に示すようにスリット部開放端下面に取り付けるローラＲによって構成することが好ましい。
【００４１】
次いで、第６の発明に係る引戸装置の組立方法について説明する。
この組立方法は、図１４に示す如く、後扉２ｂの前方側面に、前扉２ａの後端から後部戸車７が側面より進入可能となる程度の切欠部分Ｋを形成し、後扉２ｂの上面には前後の戸車８、８間を前扉２ａの後部戸車７の移動を許容するスリット部分としたもので、前扉２ａを後扉２ｂに側方より嵌合させた後、後扉２ｂの切欠部分ＹをカバーＣをもって覆うものである。
【００４２】
また、前後の扉の移行に際しては前扉２ａの移行に伴い、後扉２ｂを移行させる場合には従来例と同様、連動杆６０を取り付けるようにしてもよい。構造上、前扉２ａが全閉した後に後扉２ｂが閉まり始め全体として引戸２が全閉に、前扉２ａが全開した後に後扉２ｂが開き始めて全体として引戸２が全開となるようにする場合は連動杆を取り付ける必要はない。
【００４３】
以上、本発明の引戸装置について、その実施例に基づいて説明したが、本発明は上記実施例に記載した構成に限定されるものではなく、その趣旨を逸脱しない範囲において適宜その構成を変更することができるものである。
【００４４】
【発明の効果】
以上の如く第１、４の発明によるときは、出入口に配置された引戸を前後に区分し、前扉と後扉に設けた戸車を１つのレールに載置することができるから構成が簡単な上に引戸の開閉をスムーズに行えるとともに、その取付やメンテナンスが簡便かつ容易になる。
また第２、５の発明によるときは、一方も扉の上面又は下面にスリットを構成するのみで前扉と後扉に設けた戸車を１つのレールに載置することができるから扉の加工も簡便かつ容易でその制作費を低減することができる等の効果を有する。
また第３の発明によるときは、前後の戸車によって支持される前扉の上面と後扉前方の間を滑走部材を介して摺動可能に後扉を取り付けるから両扉の組立が簡便に行うことができ、滑走部材として滑走体を前扉上面に取り付けるときは後扉に前方の戸車を取り付ける必要がない。
更に第６の発明によるときは、前扉の後部戸車を後部扉の側面に設けた切欠部を介して嵌合するから後扉の戸車も組立前から取り付けた状態で組み込むことが可能となる等の効果を有する。
【図面の簡単な説明】
【図１】本発明の引戸装置の引戸を閉じた状態の正面図である。
【図２】本発明の引戸装置の引戸を開いた状態の正面図である。
【図３】図２におけるＸーＸ線に沿う縦断面図である。
【図４】本発明の引戸装置の別の実施例を示し、（Ａ）はその縦断面図、（Ｂ）は戸車部分の一部切欠正面図である。
【図５】本発明の引戸装置の別の実施例を示し、（Ａ）はその縦断面図、（Ｂ）は戸車部分の一部切欠正面図である。
【図６】本発明の引戸装置の前扉、後扉の取付要領説明図のうち組立前の状況を示す斜視図である。
【図７】本発明の引戸装置の前扉、後扉の取付要領説明図のうち前扉進入直後の状況を示す斜視図である。
【図８】本発明の引戸装置の前扉、後扉の取付要領説明図のうち前扉進入後、後扉の戸車を取り付けた状況を示す斜視図である。
【図９】本発明の引戸装置の前扉、後扉の取付要領説明図のうち後扉の戸車を取り付けた後に前扉を開いた状況を示す斜視図である。
【図１０】第２の発明の引戸装置の前扉、後扉の取付要領説明図のうち組立前の状況を示す斜視図である。
【図１１】第２の発明の引戸装置の前扉、後扉の取付要領説明図のうち前扉進入直後の状況を示す斜視図である。
【図１２】第２の発明の引戸装置の前扉、後扉の取付要領説明図のうち前扉進入後、後扉の戸車を取り付けた状況を示す斜視図である。
【図１３】第２の発明の引戸装置の前扉、後扉の取付要領説明図のうち後扉の戸車を取り付けた後に前扉を開いた状況を示す斜視図である。
【図１４】第６の発明の引戸装置の組立方法の説明図を示し、（Ａ）が平面図、（Ｂ）が正面図を示す。
【図１５】第３の発明の引戸装置の説明図を示し、（Ａ）が滑走体を、（Ｂ）がローラを利用した正面図を示す。
【図１６】従来例の壁収納型引戸装置の引戸を閉じた状態の正面図である。
【図１７】従来例の引戸装置のレールと走行体の関係を説明する斜視図である。
【符号の説明】
１    引戸装置
２    引戸
２ａ  前扉
２ｂ  後扉
３    引戸取付枠
６    レール
７    戸車
８ａ  戸車
８ｂ  戸車
ｍ    受け入れ用切り欠き部
ｎ    進入用切り欠き部
ｓ    スリット
ｔ    戸車取付板
【図１】
2004270370.tif 000003
【図２】
2004270370.tif 000004
【図３】
2004270370.tif 000005
【図４】
2004270370.tif 000006
【図５】
2004270370.tif 000007
【図６】
2004270370.tif 000008
【図７】
2004270370.tif 000009
【図８】
2004270370.tif 000010
【図９】
2004270370.tif 000011
【図１０】
2004270370.tif 000012
【図１１】
2004270370.tif 000013
【図１２】
2004270370.tif 000014
【図１３】
2004270370.tif 000015
【図１４】
2004270370.tif 000016
【図１５】
2004270370.tif 000017
【図１６】
2004270370.tif 000018
【図１７】
2004270370.tif 000019